(57)【要約】【課題】辞書機能を備えた電子機器において、漢字入力からの検索は勿論、ピンイン入力からの検索が難しい場合でも、複数の漢字からなる中国語の単語を容易に検索することを可能にする。【解決手段】中国語辞書の検索に伴い漢字２文字からなる単語をその四声の組合せから検索する四声組合せモードに設定されると、先頭の文字の四声（一声／二声／三声／四声）を示す記号と末尾の文字の四声（一声／二声／三声／四声／軽声）を示す記号との組合せを一覧にした四声組合せ一覧画面ＧＳがサブ画面１５に表示される。そして、この四声組合せ一覧画面ＧＳにおいて、ユーザが聞いた調べたい単語の抑揚に応じた四声組合せが選択されると、選択された四声組合せに対応する単語が検索されて検索単語一覧エリアＬに表示される。【選択図】      図８
2014063256.tif 000002
【特許請求の範囲】
【請求項１】
表示部と、
複数の漢字から構成される単語と、当該単語の漢字毎の四声を含むピンインと、を対応付けて複数組記憶している単語記憶手段と、
単語を構成する各漢字の四声の組合せを四声組合せ一覧として前記表示部に表示させる四声組合せ一覧表示制御手段と、
この四声組合せ一覧表示制御手段により表示された四声組合せ一覧からユーザ操作に応じて何れかの四声組合せを選択する四声組合せ選択手段と、
この四声組合せ選択手段により選択された四声の組合せに対応する単語を前記単語記憶手段により記憶された単語の中から読み出して前記表示部に一覧表示させる検索単語一覧表示制御手段と、
を備えたことを特徴とする情報表示制御装置。
【請求項２】
ユーザ操作に応じてピンインを入力するピンイン入力手段と、
このピンイン入力手段により入力されたピンインに対応する漢字を検索するピンイン漢字検索手段とを備え、
前記四声組合せ一覧表示制御手段は、前記ピンイン漢字検索手段により検索された漢字を含む単語を前記単語記憶手段により記憶された単語の中から検索する単語検索手段を有し、この単語検索手段により検索された単語を構成する各漢字の四声の組合せを四声組合せ一覧として前記表示部に表示させる、
ことを特徴とする請求項１に記載の情報表示制御装置。
【請求項３】
前記四声組合せ一覧表示制御手段は、
単語を構成する先頭の漢字の四声と末尾の漢字の四声との全ての四声組合せを一覧にして前記表示部に表示させる全組合せ一覧表示制御手段と、
この全組合せ一覧表示制御手段により表示された全ての四声組合せのうち、前記単語検索手段により検索された単語を構成する先頭の漢字の四声と末尾の漢字の四声との組合せに対応するところの四声組合せを識別表示させる四声組合せ識別表示制御手段と、
を有することを特徴とする請求項２に記載の情報表示制御装置。
【請求項４】
前記ピンイン漢字検索手段により検索された漢字を前記表示部に一覧表示させる検索漢字一覧表示制御手段と、
この検索漢字一覧表示制御手段により表示された漢字一覧からユーザ操作に応じて何れかの漢字を選択する漢字選択手段とを備え、
前記単語検索手段は、前記漢字選択手段により選択された漢字を含む単語を前記単語記憶手段により記憶された単語の中から検索する、
ことを特徴とする請求項２または請求項３に記載の情報表示制御装置。
【請求項５】
前記単語検索手段は、ユーザ操作に応じて先頭一致検索か末尾一致検索かの何れかを指定する先頭／末尾指定手段を有し、この先頭／末尾指定手段により先頭一致検索が指定された場合は、前記ピンイン漢字検索手段により検索された漢字を先頭に含む単語を前記単語記憶手段により記憶された単語の中から検索し、末尾一致検索が指定された場合は、前記ピンイン漢字検索手段により検索された漢字を末尾に含む単語を前記単語記憶手段により記憶された単語の中から検索する、
ことを特徴とする請求項２ないし請求項４の何れか１項に記載の情報表示制御装置。
【請求項６】
前記ピンイン入力手段により入力されたピンインの類似のピンインに対応する漢字を検索する類似ピンイン漢字検索手段と、
前記類似ピンイン漢字検索手段により検索された漢字を前記表示部に一覧表示させる類似ピンイン漢字一覧表示制御手段とを備え、
前記漢字選択手段は、前記検索漢字一覧表示制御手段および前記類似ピンイン漢字一覧表示制御手段により表示された漢字一覧からユーザ操作に応じて何れかの漢字を選択する、
ことを特徴とする請求項４または請求項５に記載の情報表示制御装置。
【請求項７】
表示部とメモリを備えた電子機器のコンピュータを制御するための情報表示制御方法であって、
複数の漢字から構成される単語と、当該単語の漢字毎の四声を含むピンインと、を対応付けて前記メモリに複数組記憶させ、
単語を構成する各漢字の四声の組合せを四声組合せ一覧として前記表示部に表示させ、
前記表示部に表示された四声組合せ一覧からユーザ操作に応じて何れかの四声組合せを選択し、
選択された四声の組合せに対応する単語を前記メモリに記憶された単語の中から読み出して前記表示部に一覧表示させる、
ことを特徴とする情報表示制御方法。
【請求項８】
表示部とメモリを備えた電子機器のコンピュータを制御するためのプログラムであって、
前記コンピュータを、
複数の漢字から構成される単語と、当該単語の漢字毎の四声を含むピンインと、を対応付けて前記メモリに複数組記憶させる単語記憶手段、
単語を構成する各漢字の四声の組合せを四声組合せ一覧として前記表示部に表示させる四声組合せ一覧表示制御手段、
この四声組合せ一覧表示制御手段により表示された四声組合せ一覧からユーザ操作に応じて何れかの四声組合せを選択する四声組合せ選択手段、
この四声組合せ選択手段により選択された四声の組合せに対応する単語を前記単語記憶手段により記憶された単語の中から読み出して前記表示部に一覧表示させる検索単語一覧表示制御手段、
として機能させるためのプログラム。
【発明の詳細な説明】
【技術分野】
【０００１】
本発明は、中国語の単語を検索するための情報表示制御装置、情報表示制御方法、およびその制御プログラムに関する。
【背景技術】
【０００２】
従来の電子辞書装置において、中国語の単語を検索する操作としては、手書き、部首画数、総画数等から漢字を入力し、当該入力された漢字を含む単語を検索する漢字検索操作、中国語単語の読みであるピンインを入力して対応する単語を検索するピンイン検索操作がある。
【０００３】
ピンインは母音子音を表すアルファベットと抑揚を表す声調（四声（１〜４））とで構成される。通常ピンイン検索操作では、ピンインのアルファベットを入力し、ピンインのアルファベットが一致する中国語の単語を検索する。しかしピンインのアルファベットが一致しても、四声が異なる別の単語が多く存在する。
【０００４】
このため、前記ピンイン検索操作では、調べたい単語のピンインのアルファベット入力に声調（四声（１〜４））を付加することにより、より早く対応する単語を検索することができる。
【０００５】
また、中国語の発音に特有な音変化のあるピンインの入力に対しては、入力されたピンインを標準的な表記に補正してから辞書検索を行ったり、中国語の発音に特有な四声ゆれのあるピンインの入力に対しては、その声調情報を標準的な声調情報に補正してから辞書検索を行ったりすることで、曖昧性や不確実性を取り除いて効率よく中国語へと変換できる中国語入力変換処理装置が考えられている（例えば、特許文献１参照。）。
【先行技術文献】
【特許文献】
【０００６】
【特許文献１】特開平１１−９６１４１号公報
【発明の概要】
【発明が解決しようとする課題】
【０００７】
しかしながら、中国語の発音には、地方によって異なる方言のようなものも数多く存在するため、例えば初学者の場合、耳で聞いたピンインの全部あるいは一部しか聞き取れないことが多々あり、ピンインのアルファベットと四声を組合せて曖昧検索しても、なかなか正しい（調べたい）単語を検索することは難しい問題がある。
【０００８】
本発明は、このような課題に鑑みなされたもので、漢字入力からの検索は勿論、ピンイン入力からの検索が難しい場合でも、複数の漢字からなる中国語の単語を容易に検索することが可能になる情報表示制御装置、情報表示制御方法、およびその制御プログラムを提供することを目的とする。
【課題を解決するための手段】
【０００９】
本発明に係る情報表示制御装置は、表示部と、複数の漢字から構成される単語と当該単語のピンインとを対応付けて複数組記憶する単語記憶手段と、単語を構成する各漢字の四声の組合せを四声組合せ一覧として前記表示部に表示させる四声組合せ一覧表示制御手段と、この四声組合せ一覧表示制御手段により表示された四声組合せ一覧からユーザ操作に応じて何れかの四声組合せを選択する四声組合せ選択手段と、この四声組合せ選択手段により選択された四声の組合せに対応する単語を前記単語記憶手段により記憶された単語の中から読み出して前記表示部に一覧表示させる検索単語一覧表示制御手段と、を備えたことを特徴としている。
【００１０】
本発明に係る情報表示制御方法は、表示部とメモリを備えた電子機器のコンピュータを制御するための情報表示制御方法であって、複数の漢字から構成される単語と当該単語のピンインとを対応付けて前記メモリに複数組記憶させ、単語を構成する各漢字の四声の組合せを四声組合せ一覧として前記表示部に表示させ、前記表示部に表示された四声組合せ一覧からユーザ操作に応じて何れかの四声組合せを選択し、選択された四声の組合せに対応する単語を前記メモリに記憶された単語の中から読み出して前記表示部に一覧表示させる、ことを特徴としている。
【００１１】
本発明に係るプログラムは、表示部とメモリを備えた電子機器のコンピュータを制御するためのプログラムであって、前記コンピュータを、複数の漢字から構成される単語と当該単語のピンインとを対応付けて前記メモリに複数組記憶させる単語記憶手段、単語を構成する各漢字の四声の組合せを四声組合せ一覧として前記表示部に表示させる四声組合せ一覧表示制御手段、この四声組合せ一覧表示制御手段により表示された四声組合せ一覧からユーザ操作に応じて何れかの四声組合せを選択する四声組合せ選択手段、この四声組合せ選択手段により選択された四声の組合せに対応する単語を前記単語記憶手段により記憶された単語の中から読み出して前記表示部に一覧表示させる検索単語一覧表示制御手段、として機能させることを特徴としている。
【発明の効果】
【００１２】
本発明によれば、漢字入力からの検索は勿論、ピンイン入力からの検索が難しい場合でも、複数の漢字からなる中国語の単語を容易に検索することが可能になる。
【図面の簡単な説明】
【００１３】
【図１】本発明の情報表示制御装置の実施形態に係る電子辞書装置１０の外観構成を示す正面図。
【図２】前記電子辞書装置１０の電子回路の構成を示すブロック図。
【図３】前記電子辞書装置１０のメモリ２２に確保された中国語間違い易い発音テーブル２２ｃの内容を示す図。
【図４】前記電子辞書装置１０のメモリ２２に確保された中国語四声組合せテーブル２２ｄの内容を示す図。
【図５】本発明の情報表示制御装置の他の実施形態に係る辞書機能を備えたタッチパネル式ＰＤＡ１０Ｔの外観構成を示す正面図。
【図６】前記電子辞書装置１０において［中国語辞書］を選択した場合の情報表示制御処理を示すフローチャート。
【図７】前記電子辞書装置１０において［中国語辞書］を選択した場合の情報表示制御処理に伴う四声組合せ一覧表示制御処理を示すフローチャート。
【図８】前記電子辞書装置１０において［中国語辞書］を選択した場合の情報表示制御処理に伴うタッチパネル式カラー表示部（メイン画面）１７および手書き入力部（サブ画面）１６の表示動作（その１）を示す図。
【図９】前記電子辞書装置１０において［中国語辞書］を選択した場合の情報表示制御処理に伴うタッチパネル式カラー表示部（メイン画面）１７および手書き入力部（サブ画面）１６の表示動作（その２）を示す図。
【図１０】前記電子辞書装置１０において［中国語辞書］を選択した場合の情報表示制御処理に伴うタッチパネル式カラー表示部（メイン画面）１７および手書き入力部（サブ画面）１６の表示動作（その３）を示す図。
【発明を実施するための形態】
【００１４】
以下図面により本発明の実施の形態について説明する。
【００１５】
図１は、本発明の情報表示制御装置の実施形態に係る電子辞書装置１０の外観構成を示す正面図である。
【００１６】
この情報表示制御装置は、以下に説明する電子辞書専用の携帯機器（電子辞書装置１０）として構成されるか、辞書機能を備えたタッチパネル式ＰＤＡ(personal digital assistants)１０Ｔ（図５参照）、ＰＣ(personal computer)、携帯電話、電子ブック、携帯ゲーム機等として構成される。
【００１７】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、［訳／決定］キー１４ｃ、［戻る／リスト］キー１４ｄ、カーソルキー１４ｅ、［ジャンプ］キー１４ｆ、スピーカ１５などを備えたキー入力部（キーボード）１４、および手書き入力部（サブ画面）１６が備えられる。
【００１８】
この手書き入力部（サブ画面）１６は、ユーザがペンや指等でタッチした位置を検出するタッチ位置検出装置と表示装置が一体となった構造であり、キー入力部１４の中央手前側において例えば２５６×６４ドットのカラー液晶表示画面１６ｄに透明タッチパネル１６ｔを重ねて構成される。この手書き入力部（サブ画面）１６の入力領域は、必要に応じて、手書き文字を入力するための手書き文字（漢字）入力領域や各種機能のアイコン入力領域、あるいは当該各入力領域が混在する領域に切り替えられる。
【００１９】
そして、前記手書き入力部（サブ画面）１６が手書き文字入力領域に切り替えられた状態での手書き入力に伴う軌跡はその液晶表示画面１６ｄにエコーバックして表示される。
【００２０】
なお、この手書き入力部（サブ画面）１６において、中国語辞書の検索に伴い漢字２文字からなる単語をその四声の組合せから検索する四声組合せモードでは、先頭文字の四声（一声／二声／三声／四声）を示す記号と末尾文字の四声（一声／二声／三声／四声／軽声）を示す記号との組合せを一覧にして表記した四声組合せ一覧画面ＧＳが表示される。
【００２１】
また蓋体ケース１２の表面には、そのほぼ全面を対象に例えば４８０×３２０ドットのバックライト付きのタッチパネル式カラー表示部（メイン画面）１７が設けられる。このタッチパネル式カラー表示部（メイン画面）１７も、前記手書き入力部（サブ画面）１６と同様に、ユーザがペンや指等でタッチした位置を検出するタッチ位置検出装置と表示装置が一体となった構造であり、カラー液晶表示画面１７ｄに透明タッチパネル１７ｔを重ねて構成される。
【００２２】
そして、前記タッチパネル式カラー表示部（メイン画面）１７において、検索対象の辞書として中国語辞書が指定された場合、中国語辞書検索画面Ｇが表示される。
【００２３】
この中国語辞書検索画面Ｇにおいて、前記手書き入力部（サブ画面）１６に表示された四声組合せ一覧画面ＧＳから何れかの四声組合せ（例えば［二声 一声］）が選択されると、当該選択された四声組合せ［二声 一声］に対応する単語「明天」「昨天」「国家」…が検索されて検索単語一覧エリアＬに表示される。
【００２４】
また、この検索単語一覧エリアＬにおいて、各単語に対応付けられた［再生］ボタンＢｓをタッチすると、当該単語の読上げ音声がスピーカ１５から出力される。
【００２５】
よって、前記四声組合せモードでは、調べたい単語の漢字やピンインの入力がユーザにとって難しい場合でも、例えばユーザが耳で聞いた当該単語の抑揚である四声の組合せから容易にその単語を検索することが可能である。
【００２６】
図２は、前記電子辞書装置１０の電子回路の構成を示すブロック図である。
【００２７】
この電子辞書装置１０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００２８】
ＣＰＵ２１は、メモリ２２内に予め記憶された装置制御プログラム、あるいはＲＯＭカードなどの外部記録媒体２３から記録媒体読取部２４を介して前記メモリ２２に読み込まれた装置制御プログラム、あるいはインターネットＮ上のＷｅｂサーバ（この場合はプログラムサーバ）から通信部２５を介して前記メモリ２２に読み込まれた装置制御プログラムに応じて、回路各部の動作を制御する。
【００２９】
前記メモリ２２に記憶された装置制御プログラムは、キー入力部１４、手書き入力部（サブ画面）１６、タッチパネル式カラー表示部（メイン画面）１７からのユーザ操作に応じた入力信号、あるいは通信部２５を介して接続されるインターネットＮ上の各Ｗｅｂサーバとの通信信号、あるいは記録媒体読取部２４を介して外部接続されるＥＥＰＲＯＭ，ＲＡＭ，ＲＯＭなどのメモリ・カード（記録媒体）２３との接続通信信号に応じて起動される。
【００３０】
前記ＣＰＵ２１には、前記メモリ２２、記録媒体読取部２４、通信部２５、キー入力部１４、スピーカ１５、手書き入力部（サブ画面）１６、タッチパネル式カラー表示部（メイン画面）１７などが接続される。
【００３１】
メモリ２２に記憶される装置制御プログラムとしては、当該電子辞書装置１０の全体の動作を司るシステムプログラムや、通信部２５を介してインターネットＮ上の各Ｗｅｂサーバや図示しないユーザＰＣ(Personal Computer)などとデータ通信するための通信プログラムが記憶される。
【００３２】
また、辞書情報の表示だけでなく、検索語（文字列）の入力に応じて見出し語を検索する見出し語検索処理、検索された見出し語に対応した説明情報（訳語・意味内容など）の読み出し表示処理、表示された説明情報の中のユーザ任意の文字列を指定し当該指定の文字列を辞書にジャンプして検索するためのジャンプ検索処理、中国語辞書が指定された四声組合せモードにおいて調べたい単語をその四声の組合せから検索するための四声組合せ単語検索処理など、同メモリ２２内に記憶された辞書データベース２２ｂ、中国語間違い易い発音テーブル２２ｃ、中国語四声組合せテーブル２２ｄに基づく処理全般を制御するための各種情報表示制御プログラム２２ａが記憶される。
【００３３】
前記辞書データベース２２ｂには、複数の漢字からなる中国語の単語とその声調（四声（１〜４）を含むピンインとを当該単語の読上げ音声データおよび説明情報と対応付けて集録した［中国語辞書］等の辞書データが予めあるいはダウンロードされて記憶される。この［中国語辞書］は、複数の漢字から構成される単語と当該単語の漢字毎の四声を含むピンインとを対応付けて記憶している。具体的には、例えば、複数の中国語漢字「明」「天」から構成される中国語単語「明天」に対応づけて、漢字毎の四声である「二声」「一声」を含むピンイン「ming2tian1」を対応づけて記憶している。なお、ピンイン「ming2tian1」の代わりに「mingtian21」や、教科書等のピンイン表記に対応したデータを記憶するようにしてもよい。
【００３４】
図３は、前記電子辞書装置１０のメモリ２２に確保された中国語間違い易い発音テーブル２２ｃの内容を示す図である。
【００３５】
中国語間違い易い発音テーブル２２ｃには、前記中国語辞書に集録されている単漢字のうち、その発音が類似していて間違い易い漢字のピンインが対応付けられて記憶される。
【００３６】
図４は、前記電子辞書装置１０のメモリ２２に確保された中国語四声組合せテーブル２２ｄの内容を示す図である。
【００３７】
中国語四声組合せテーブル２２ｄには、中国語の漢字２文字からなる単語を対象にその先頭の文字の四声（一声／二声／三声／四声）と末尾の文字の四声（一声／二声／三声／四声／軽声（五声））との組合せがそれぞれのフラグ１１ｈ，１２ｈ，…と対応付けられて記憶される。前記辞書データベース２２ｂの［中国語辞書］に集録されている漢字二文字の単語には、前記中国語四声組合せテーブル２２ｄに記憶された四声の組合せに応じたフラグが対応付けられて記憶されている。このため、何れかの四声の組合せに対応した単語を検索する場合、そのフラグに基づき高速に検索できる。
【００３８】
また、前記メモリ２２のワークエリアには、検索語データメモリ２２ｅ、四声組合せ毎に分類した単語一覧データメモリ２２ｆが確保される。
【００３９】
検索語データメモリ２２ｅには、ユーザによって選択された辞書の辞書検索画面Ｇにおいて、その検索語入力エリアｅに入力された検索語（文字列）が記憶される。中国語の場合、検索語はピンイン（アルファベット、又はアルファベットと四声（１〜４の数字）との組合せ）または漢字として入力され、またその検索語を先頭に含む単語を検索（先頭一致検索）するのか、末尾に含む単語を検索（末尾一致検索）するかの検索モードデータも記憶される。この中国語の検索モードデータは、前記検索語入力エリアｅにおいてユーザ操作に応じて指定されるもので、デフォルトでは（先頭一致検索）に設定されている。
【００４０】
なお、以下の記載で、ピンインの入力は、(1)アルファベット、又は(2)アルファベットと四声（１〜４の数字）との組合せによる入力、のいずれの入力も含むこととする。また四声を除くピンインの母音子音（を表すアルファベット）のみの入力の場合は、ピンインのアルファベットの入力と明記することとする。
【００４１】
四声組合せ毎に分類した単語一覧データメモリ２２ｆには、［中国語辞書］の検索に伴う四声組合せモードにおいて、前記検索語データメモリ２２ｅに記憶された検索語とその検索モード（先頭／末尾）に応じて検索された各単語が、当該各単語の四声組合せ毎に分類されて記憶される。なお、前記検索語が入力されていない場合、この単語一覧データメモリ２２ｆには、［中国語辞書］に集録されている漢字２文字の単語のうち中国語４級レベルの基本単語が、当該各単語の四声組合せ毎に分類されて記憶される。
【００４２】
このように構成された電子辞書装置１０は、ＣＰＵ２１が前記情報表示制御プログラム２２ａ（見出し語検索処理、説明情報表示処理、ジャンプ検索処理、四声組合せ単語検索処理等を実行するためのプログラムを含む）に記述された命令に従い回路各部の動作を制御し、ソフトウエアとハードウエアとが協働して動作することにより、以下の動作説明で述べる機能を実現する。
【００４３】
なお、この情報表示制御装置の実施形態は、電子辞書装置１０により実現した場合について説明しているが、例えば図５に示すように、辞書機能を備えたタッチパネル式ＰＤＡ１０Ｔにても、前記情報表示制御プログラム２２ａの各処理に応じた入力および表示動作を、タッチパネル式カラー表示部１７（１７ｄ，１７ｔ）に各種のウインドウとして表示させることで実現可能であるのは勿論である。
【００４４】
図５は、本発明の情報表示制御装置の他の実施形態に係る辞書機能を備えたタッチパネル式ＰＤＡ１０Ｔの外観構成を示す正面図である。
【００４５】
この図５におけるタッチパネル式ＰＤＡ１０Ｔでは、前記四声組合せ単語検索処理に対応した表示動作を示している。
【００４６】
例えば、前記図１で示した電子辞書装置１０のタッチパネル式カラー表示部（メイン画面）１７に表示させた中国語辞書検索画面Ｇと手書き入力部（サブ画面）１６に表示させた四声組合せ一覧画面ＧＳは、このタッチパネル式ＰＤＡ１０Ｔにおいて、中国語辞書検索ウインドウＧｗと四声組合せ一覧ウインドウＧＳｗとして表示される。
【００４７】
次に、前記構成の電子辞書装置１０において［中国語辞書］を選択した場合の情報表示制御機能について説明する。
【００４８】
図６は、前記電子辞書装置１０において［中国語辞書］を選択した場合の情報表示制御処理を示すフローチャートである。
【００４９】
図７は、前記電子辞書装置１０において［中国語辞書］を選択した場合の情報表示制御処理に伴う四声組合せ一覧表示制御処理を示すフローチャートである。
【００５０】
図８は、前記電子辞書装置１０において［中国語辞書］を選択した場合の情報表示制御処理に伴うタッチパネル式カラー表示部（メイン画面）１７および手書き入力部（サブ画面）１６の表示動作（その１）を示す図である。
【００５１】
図９は、前記電子辞書装置１０において［中国語辞書］を選択した場合の情報表示制御処理に伴うタッチパネル式カラー表示部（メイン画面）１７および手書き入力部（サブ画面）１６の表示動作（その２）を示す図である。
【００５２】
図１０は、前記電子辞書装置１０において［中国語辞書］を選択した場合の情報表示制御処理に伴うタッチパネル式カラー表示部（メイン画面）１７および手書き入力部（サブ画面）１６の表示動作（その３）を示す図である。
【００５３】
辞書指定キー１４ｂのユーザ操作に応じて［中国語辞書］が選択され（ステップＳ１（Ｙｅｓ））、四声組合せ「四声組合せ一覧検索」モードが選択されると（ステップＳ２（Ｙｅｓ））、図８（Ａ）に示すように、タッチパネル式カラー表示部（以下「メイン画面」と称す）１７には、中国語辞書検索画面Ｇが表示され、図７における四声組合せ一覧表示制御処理に移行される（ステップＳＡ）。
【００５４】
この四声組合せ一覧表示制御処理が起動されると、前記中国語辞書検索画面Ｇの検索語入力エリアｅに検索語が入力されているか否か判断され（ステップＡ１）、検索語が入力されていないと判断されると（ステップＡ１（Ｎｏ））、［中国語辞書］に集録されている漢字２文字の単語のうち中国語４級レベルの基本単語が、当該各単語の四声組合せ毎に分類されワークエリアの単語一覧データメモリ２２ｆに記憶される（ステップＡ２）。
【００５５】
すると、手書き入力部（以下「サブ画面」と称す）１６に対し、前記四声組合せテーブル２２ｄに基づいた四声組合せ一覧画面ＧＳが表示され、各組合せの項目毎に、対応する四声組合せに対応した単語が前記単語一覧データメモリ２２ｆに存在するところの項目が黄色で識別表示Ｈｙされ、存在しないところの項目が白色で識別表示される（ステップＡ３）。
【００５６】
例えばユーザが聞いた単語の発音について、四声の組合せが一声と一声からなる単語を調べるため、図８（Ｂ）に示すように、サブ画面１６に表示された四声組合せ一覧画面ＧＳの項目［一声 一声］がペンタッチＰされて選択されると（ステップＳ３（Ｙｅｓ））、前記単語一覧データメモリ２２ｆに記憶されている四声組合せ毎に分類された基本単語のうち、前記選択された四声組合せ［一声 一声］の単語「今天」「東京」「通知」…が読み出され、メイン画面１７（中国語辞書検索画面Ｇ）の検索単語一覧エリアＬに一覧表示される（ステップＳ４）。
【００５７】
なお、ここでは中国語の漢字を記述できないので、日本語の漢字の当て字で記述する。
【００５８】
また同様に、図８（Ｃ）に示すように、サブ画面１６に表示された四声組合せ一覧画面ＧＳの項目［二声 一声］がペンタッチＰされて選択されると（ステップＳ３（Ｙｅｓ））、前記単語一覧データメモリ２２ｆに記憶されている四声組合せ毎に分類された基本単語のうち、前記選択された四声組合せ［二声 一声］の単語「明天」「昨天」「国家」…が読み出され、メイン画面１７（中国語辞書検索画面Ｇ）の検索単語一覧エリアＬに一覧表示される（ステップＳ４）。
【００５９】
この検索単語一覧エリアＬに一覧表示された所望の四声組合せの各単語のうち、調べたい単語を対象に、［ジャンプ］キー１４ｆによりジャンプ検索モードが設定されジャンプ検索が指示されると（ステップＳ５）、当該検索対象の単語を見出し語として前記［中国語辞書］に記憶されている説明情報が読み出され、説明情報表示画面ＧＥ（図１０（Ｂ）参照）としてメイン表示部１７に表示される（ステップＳ６）。
【００６０】
これにより、ユーザは、調べたい単語の漢字やピンインが分からなくても、その単語の抑揚である四声の組合せから容易に所望の単語を検索して調べることができる。
【００６１】
一方、例えば調べたい単語の一部（先頭又は末尾）のピンインがユーザによって何となく分かっている場合に、図９（Ａ）に示すように、中国語辞書検索画面Ｇの検索語入力エリアｅにおいて、そのピンイン（検索語）のアルファベット「zhang」が入力されると（ステップＳ７（Ｙｅｓ））、入力されたピンインは四声（１〜４の数字）なしのアルファベットのみで入力されたか否か判断される（ステップＳ８）。
【００６２】
ここで、前記入力されたピンイン「zhang」は四声（１〜４の数字）なしのアルファベットのみで入力されたと判断されると（ステップＳ８（Ｙｅｓ））、当該ピンインのアルファベット「zhang」が一致して対応する漢字（一声：「張」「樟」）（三声：「長」「掌」）（四声：「丈」「杖」）がその四声毎に分類されて検索漢字一覧エリアＬＣに表示される（ステップＳ９）。
【００６３】
なお、前記検索語入力エリアｅに入力されたピンイン（検索語）が四声付き（アルファベットと四声（１〜４の数字）との組合せ）で入力されたと判断された場合は（ステップＳ８（Ｎｏ））、当該四声付きのピンインに対応する漢字が前記検索漢字一覧エリアＬＣに一覧表示される（ステップＳ１０）。
【００６４】
ここで、前記検索語入力エリアｅでは、先頭一致検索の検索モードを指定する表記［先頭］がデフォルトで指定表示ｈされているが、ユーザ操作に応じて表記［末尾］がタッチ指定されると（ステップＳ１１（Ｙｅｓ））、末尾一致検索の検索モードに設定され、当該表記［末尾］が指定表示ｈされる（ステップＳ１２）。
【００６５】
また、前記検索語入力エリアｅに入力されたピンイン「zhang」に類似するピンイン「xiang」…が中国語間違い易い発音テーブル２２ｃから読み出され、当該各類似のピンイン「xiang」…に対応する漢字（「郷」「詳」「享」「向」…）が類似ピンイン漢字一覧エリアＬＣｎに表示される（ステップＳ１３）。
【００６６】
なお、上記例では、ピンインのアルファベット「zhang」が入力されたことに対応して類似するピンインのアルファベット「xiang」…に対応する漢字（「郷」「詳」「享」「向」…）が類似ピンイン漢字一覧エリアＬＣｎに表示される例を示したが、ピンイン（検索語）が四声付き（アルファベットと四声（１〜４の数字）との組合せ）で入力された場合には、その四声付きピンインに類似する四声付きピンインに対応する漢字が類似ピンイン漢字一覧エリアＬＣｎに表示される。例えば、四声付きピンイン「zhang1」が入力されると、類似する四声付きピンイン「xiang1」…に対応する漢字（「郷」…）が類似ピンイン漢字一覧エリアＬＣｎに表示される。
【００６７】
この類似ピンイン漢字一覧エリアＬＣにおいて、次候補マークＮがタッチ指定されると、次に類似するピンイン「chang」…に対応する漢字に入れ替えられて表示される。
【００６８】
ここで、図７における四声組合せ一覧表示制御処理へ移行され（ステップＳＡ）、前記検索漢字一覧エリアＬＣや類似ピンイン漢字一覧エリアＬＣｎに一覧表示された前記検索語（ピンイン）「zhang」に対応する漢字が選択されてないと判断されると（ステップＡ４（Ｎｏ））、前記末尾一致検索の検索モード［末尾］が指定されているか否か判断される（ステップＡ５）。
【００６９】
そして、前記末尾一致検索の検索モード［末尾］が指定されていない、つまり先頭一致検索の検索モード［先頭］が指定されていると判断されると（ステップＡ５（Ｎｏ））、前記検索語（ピンイン）「zhang」に対応する漢字（一声：「張」「樟」）（三声：「長」「掌」）（四声：「丈」「杖」）を先頭に含む単語が検索され、当該各単語がその四声組合せ毎に分類されワークエリアの単語一覧データメモリ２２ｆに記憶される（ステップＡ６）。
【００７０】
すると、サブ画面１６に対し、前記四声組合せテーブル２２ｄに基づいた四声組合せ一覧画面ＧＳが表示され、前記単語一覧データメモリ２２ｆに四声組合せ毎に分類されて記憶された単語が存在するところの四声組合せの項目［一声 一声］〜［一声 軽声］［三声 一声］［三声 二声］［四声 一声］〜［四声 四声］が黄色で識別表示Ｈｙされる（ステップＡ３）。
【００７１】
ここで、前記四声組合せ一覧画面ＧＳで識別表示されている何れかの四声組合せの項目がペンタッチＰされて選択されると（ステップＳ３（Ｙｅｓ））、前記単語一覧データメモリ２２ｆに記憶されている前記検索語（ピンイン）「zhang」に対応した漢字を先頭に含む各単語のうち、当該選択された四声組合せに分類されたところの単語が読み出され、中国語辞書検索画面Ｇの検索単語一覧エリアＬ（図８（Ｂ）（Ｃ）参照）に切り換えられて一覧表示される（ステップＳ４）。
【００７２】
なお、前記ステップＡ５において、末尾一致検索の検索モード［末尾］が指定されていると判断された場合は（ステップＡ５（Ｙｅｓ））、前記検索語（ピンイン）「zhang」に対応する漢字（一声：「張」「樟」）（三声：「長」「掌」）（四声：「丈」「杖」）を末尾に含む単語が検索され、当該各単語がその四声組合せ毎に分類されワークエリアの単語一覧データメモリ２２ｆに記憶される（ステップＡ７）。
【００７３】
そして、前記類似ピンイン漢字一覧エリアＬＣｎに表示されている類似のピンイン（検索語）「xiang」がユーザ操作に応じて選択された場合には（ステップＳ１４（Ｙｅｓ））、当該選択された類似のピンイン（検索語）「xiang」が、ユーザ入力された検索語（ピンイン）として検索語データメモリ２２ｅに設定記憶され（ステップＳ１５）、前記ステップＳ８からの処理に戻る。
【００７４】
一方、図９（Ｂ）に示すように、前記入力された検索語（ピンイン）「zhang」に対応して検索漢字一覧エリアＬＣに一覧表示されている漢字（一声：「張」「樟」）（三声：「長」「掌」）（四声：「丈」「杖」）うち、例えば調べたい単語の末尾に含まれているとユーザが判断した漢字「長」がペンタッチＰされて選択され指定表示ｈされると共に（ステップＳ１６（Ｙｅｓ））、検索語入力エリアｅの表記［末尾］がペンタッチＰされると（ステップＳ１７（Ｙｅｓ））、末尾一致検索の検索モードに設定され、当該表記［末尾］が指定表示ｈされる（ステップＳ１８）。
【００７５】
そして、図７における四声組合せ一覧表示制御処理へ移行されると（ステップＳＡ）、前記検索漢字一覧エリアＬＣに一覧表示された前記検索語（ピンイン）「zhang」に対応する漢字「長」が選択されたと判断されると共に（ステップＡ４（Ｙｅｓ））、前記末尾一致検索の検索モード［末尾］が指定されていると判断される（ステップＡ８（Ｙｅｓ））。
【００７６】
すると、前記選択された漢字「長」を末尾に含む単語が検索され、当該各単語がその四声組合せ毎に分類されワークエリアの単語一覧データメモリ２２ｆに記憶される（ステップＡ１０）。
【００７７】
すると、サブ画面１６に対し、前記四声組合せテーブル２２ｄに基づいた四声組合せ一覧画面ＧＳが表示され、前記単語一覧データメモリ２２ｆに四声組合せ毎に分類されて記憶された単語が存在するところの四声組合せの項目［一声 三声］［二声 三声］［四声 三声］が黄色で識別表示Ｈｙされる（ステップＡ３）。
【００７８】
ここで、図９（Ｃ）に示すように、前記四声組合せ一覧画面ＧＳで識別表示Ｈｙされている四声組合せの項目［二声 三声］がペンタッチＰされて選択されると（ステップＳ３（Ｙｅｓ））、前記単語一覧データメモリ２２ｆに記憶されている前記検索語（ピンイン）「zhang」に対応した漢字「長」を末尾に含む各単語のうち、当該選択された四声組合せ［二声 三声］に分類されたところの単語「年長」…が読み出され、中国語辞書検索画面Ｇの検索単語一覧エリアＬに切り換えられて表示される（ステップＳ４）。
【００７９】
そして、図１０（Ａ）に示すように、ジャンプ検索モードに設定し、前記検索単語一覧エリアＬに一覧表示された検索語（ピンイン）「zhang」の漢字「長」を末尾に含む所望の四声組合せ［二声 三声］の各単語「年長」…のうち、調べたい単語「年長」をペンタッチＰして指定表示ｈさせると（ステップＳ５）、当該単語「年長」を見出し語として前記［中国語辞書］に記憶されている説明情報が読み出され、図１０（Ｂ）に示すように、説明情報表示画面ＧＥに切り換えられて表示される（ステップＳ６）。
【００８０】
なお、前記ステップＡ８において、末尾一致検索の検索モード［末尾］が指定されていないと判断された場合は（ステップＡ８（Ｎｏ））、前記選択された漢字「長」を先頭に含む単語が検索され、当該各単語がその四声組合せ毎に分類されワークエリアの単語一覧データメモリ２２ｆに記憶される（ステップＡ９）。
【００８１】
これにより、ユーザは、調べたい単語の一部のピンインしか分からなくても、そのピンインと単語の抑揚である四声の組合せから容易に所望の単語を絞り込み検索して調べることができる。
【００８２】
したがって、前記構成の電子辞書装置１０において［中国語辞書］を選択した場合の情報表示制御機能によれば、中国語辞書の検索に伴い漢字２文字からなる単語をその四声の組合せから検索する四声組合せモードに設定されると、先頭の文字の四声（一声／二声／三声／四声）を示す記号と末尾の文字の四声（一声／二声／三声／四声／軽声）を示す記号との組合せを一覧にした四声組合せ一覧画面ＧＳがサブ画面１５に表示される。そして、この四声組合せ一覧画面ＧＳにおいて、ユーザが聞いた調べたい単語の抑揚に応じた四声組合せが選択されると、選択された四声組合せに対応する単語が検索されて検索単語一覧エリアＬに表示される。
【００８３】
このため、ユーザは、調べたい単語の漢字やピンインが分からなくても、その単語の抑揚である四声の組合せから容易に所望の単語を検索して調べることができる。
【００８４】
また、前記構成の電子辞書装置１０において［中国語辞書］を選択した場合の情報表示制御機能によれば、例えば調べたい単語の一部（先頭／末尾）のピンインが分かっている場合に、そのピンインを検索語として入力すると、入力されたピンインに対応する漢字が検索されて検索漢字一覧エリアＬＣに表示される。そして、このピンイン検索された漢字一覧から所望の漢字が選択されると、選択された漢字を含む単語が検索され、前記四声組合せ一覧画面ＧＳにおいて、前記検索された各単語の四声組合せに対応したところの四声組合せの項目が識別表示Ｈｙされる。
【００８５】
このため、ユーザは、調べたい単語の一部のピンインしか分からなくても、そのピンインと単語の抑揚である四声の組合せから容易に所望の単語を絞り込み検索して調べることができる。
【００８６】
また、前記構成の電子辞書装置１０において［中国語辞書］を選択した場合の情報表示制御機能によれば、前記ピンイン検索された漢字を先頭に含む単語を検索（先頭一致検索）して、各単語の四声組合せに対応したところの四声組合せの項目を識別表示Ｈｙさせるのか、末尾に含む単語を検索（先頭一致検索）して、各単語の四声組合せに対応したところの四声組合せの項目を識別表示Ｈｙさせるのかは、検索語入力エリアｅの表記［先頭／末尾］をユーザ操作に応じて指定表示ｈさせることで、適宜切り替えることができる。
【００８７】
さらに、前記構成の電子辞書装置１０において［中国語辞書］を選択した場合の情報表示制御機能によれば、前記ピンイン（検索語）を入力して検索した漢字一覧を検索漢字一覧エリアＬＣに表示させる際には、当該入力されたピンインに類似するピンインの漢字も検索されて類似ピンイン漢字一覧エリアＬＣｎに表示されるので、調べたい単語の一部のピンインが何となくしか分からない場合でも、そのピンインと単語の抑揚である四声の組合せから容易に所望の単語を絞り込み検索して調べることができる。
【００８８】
なお、前記実施形態では、漢字２文字の単語を対象に検索する場合の具体例について説明したが、３文字以上の漢字からなる単語を検索する場合でも、その単語の先頭の漢字の四声と末尾の漢字の四声との組合せに基づいて検索することで、前記同様に所望の単語を絞り込み検索して調べることができる。
【００８９】
前記実施形態において記載した電子辞書装置１０による各処理の手法およびデータベース、すなわち、図６のフローチャートに示す情報表示制御処理、図７のフローチャートに示す前記情報表示制御処理に伴う四声組合せ一覧表示制御処理等の各手法、および辞書データベース２２ｂ、中国語間違い易い発音テーブル２２ｃ、中国語四声組合せテーブル２２ｄは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体２３に格納して配布することができる。そして、メイン・サブ表示画面（１７）（１６）を備えた電子機器のコンピュータは、この外部記録媒体２３に記憶されたプログラムを記憶装置（２２）に読み込み、この読み込んだプログラムによって動作が制御されることにより、前記実施形態において説明した四声組合せからの単語検索機能を実現し、前述した手法による同様の処理を実行することができる。
【００９０】
また、前記各手法を実現するためのプログラムのデータは、プログラムコードの形態としてネットワークＮ上を伝送させることができ、このプログラムデータを、ネットワークＮに接続されたコンピュータに通信部２５によって取り込むことで、前述した四声組合せからの単語検索機能を実現することもできる。
【００９１】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組合せにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００９２】
以下に、本願出願の当初の特許請求の範囲に記載された発明を付記する。
【００９３】
［１］
表示部と、
複数の漢字から構成される単語と、当該単語の漢字毎の四声を含むピンインと、を対応付けて複数組記憶している単語記憶手段と、
単語を構成する各漢字の四声の組合せを四声組合せ一覧として前記表示部に表示させる四声組合せ一覧表示制御手段と、
この四声組合せ一覧表示制御手段により表示された四声組合せ一覧からユーザ操作に応じて何れかの四声組合せを選択する四声組合せ選択手段と、
この四声組合せ選択手段により選択された四声の組合せに対応する単語を前記単語記憶手段により記憶された単語の中から読み出して前記表示部に一覧表示させる検索単語一覧表示制御手段と、
を備えたことを特徴とする情報表示制御装置。
【００９４】
［２］
ユーザ操作に応じてピンインを入力するピンイン入力手段と、
このピンイン入力手段により入力されたピンインに対応する漢字を検索するピンイン漢字検索手段とを備え、
前記四声組合せ一覧表示制御手段は、前記ピンイン漢字検索手段により検索された漢字を含む単語を前記単語記憶手段により記憶された単語の中から検索する単語検索手段を有し、この単語検索手段により検索された単語を構成する各漢字の四声の組合せを四声組合せ一覧として前記表示部に表示させる、
ことを特徴とする［１］に記載の情報表示制御装置。
【００９５】
［３］
前記四声組合せ一覧表示制御手段は、
単語を構成する先頭の漢字の四声と末尾の漢字の四声との全ての四声組合せを一覧にして前記表示部に表示させる全組合せ一覧表示制御手段と、
この全組合せ一覧表示制御手段により表示された全ての四声組合せのうち、前記単語検索手段により検索された単語を構成する先頭の漢字の四声と末尾の漢字の四声との組合せに対応するところの四声組合せを識別表示させる四声組合せ識別表示制御手段と、
を有することを特徴とする［２］に記載の情報表示制御装置。
【００９６】
［４］
前記ピンイン漢字検索手段により検索された漢字を前記表示部に一覧表示させる検索漢字一覧表示制御手段と、
この検索漢字一覧表示制御手段により表示された漢字一覧からユーザ操作に応じて何れかの漢字を選択する漢字選択手段とを備え、
前記単語検索手段は、前記漢字選択手段により選択された漢字を含む単語を前記単語記憶手段により記憶された単語の中から検索する、
ことを特徴とする［２］または［３］に記載の情報表示制御装置。
【００９７】
［５］
前記単語検索手段は、ユーザ操作に応じて先頭一致検索か末尾一致検索かの何れかを指定する先頭／末尾指定手段を有し、この先頭／末尾指定手段により先頭一致検索が指定された場合は、前記ピンイン漢字検索手段により検索された漢字を先頭に含む単語を前記単語記憶手段により記憶された単語の中から検索し、末尾一致検索が指定された場合は、前記ピンイン漢字検索手段により検索された漢字を末尾に含む単語を前記単語記憶手段により記憶された単語の中から検索する、
ことを特徴とする［２］ないし［４］の何れかに記載の情報表示制御装置。
【００９８】
［６］
前記ピンイン入力手段により入力されたピンインの類似のピンインに対応する漢字を検索する類似ピンイン漢字検索手段と、
前記類似ピンイン漢字検索手段により検索された漢字を前記表示部に一覧表示させる類似ピンイン漢字一覧表示制御手段とを備え、
前記漢字選択手段は、前記検索漢字一覧表示制御手段および前記類似ピンイン漢字一覧表示制御手段により表示された漢字一覧からユーザ操作に応じて何れかの漢字を選択する、
ことを特徴とする［４］または［５］に記載の情報表示制御装置。
【００９９】
［７］
表示部とメモリを備えた電子機器のコンピュータを制御するための情報表示制御方法であって、
複数の漢字から構成される単語と、当該単語の漢字毎の四声を含むピンインと、を対応付けて前記メモリに複数組記憶させ、
単語を構成する各漢字の四声の組合せを四声組合せ一覧として前記表示部に表示させ、
前記表示部に表示された四声組合せ一覧からユーザ操作に応じて何れかの四声組合せを選択し、
選択された四声の組合せに対応する単語を前記メモリに記憶された単語の中から読み出して前記表示部に一覧表示させる、
ことを特徴とする情報表示制御方法。
【０１００】
［８］
表示部とメモリを備えた電子機器のコンピュータを制御するためのプログラムであって、
前記コンピュータを、
複数の漢字から構成される単語と、当該単語の漢字毎の四声を含むピンインと、を対応付けて前記メモリに複数組記憶させる単語記憶手段、
単語を構成する各漢字の四声の組合せを四声組合せ一覧として前記表示部に表示させる四声組合せ一覧表示制御手段、
この四声組合せ一覧表示制御手段により表示された四声組合せ一覧からユーザ操作に応じて何れかの四声組合せを選択する四声組合せ選択手段、
この四声組合せ選択手段により選択された四声の組合せに対応する単語を前記単語記憶手段により記憶された単語の中から読み出して前記表示部に一覧表示させる検索単語一覧表示制御手段、
として機能させるためのプログラム。
【符号の説明】
【０１０１】
１０  …電子辞書装置
１０Ｔ…タッチパネル式ＰＤＡ
１１  …本体ケース
１２  …蓋体ケース
１３  …ヒンジ部
１４  …キー入力部（キーボード）
１４ａ…文字入力キー
１４ｂ…辞書指定キー
１４ｃ…［訳／決定］キー
１４ｄ…［戻る／リスト］キー
１４ｅ…カーソルキー
１４ｆ…［ジャンプ］キー
１５  …スピーカ
１６  …手書き入力部（サブ画面）
１６ｄ…液晶表示画面
１６ｔ…透明タッチパネル
１７  …タッチパネル式カラー表示部（メイン画面）
１７ｄ…カラー液晶表示画面
１７ｔ…透明タッチパネル
２１  …ＣＰＵ
２２  …メモリ
２２ａ…情報表示制御プログラム
２２ｂ…辞書データベース
２２ｃ…中国語間違い易い発音テーブル
２２ｄ…中国語四声組合せテーブル
２２ｅ…検索語データメモリ
２２ｆ…四声組合せ毎に分類した単語一覧データメモリ
２３  …外部記録媒体
２４  …記録媒体読取部
２５  …通信部
Ｇ    …中国語辞書検索画面
ｅ    …検索語入力エリア
ＧＳ  …四声組合せ一覧画面
Ｈｙ  …黄色識別表示
Ｐ    …ペンタッチ
Ｌ    …検索単語一覧エリア
Ｂｓ  …［再生］ボタン
ｈ    …指定表示
ＬＣ  …検索漢字一覧エリア
ＬＣｎ…類似ピンイン漢字一覧エリア
ＧＥ  …説明情報表示画面
【図１】
2014063256.tif 000003
【図２】
2014063256.tif 000004
【図３】
2014063256.tif 000005
【図４】
2014063256.tif 000006
【図５】
2014063256.tif 000007
【図６】
2014063256.tif 000008
【図７】
2014063256.tif 000009
【図８】
2014063256.tif 000010
【図９】
2014063256.tif 000011
【図１０】
2014063256.tif 000012